【手続補正書】
【提出日】平成15年12月2日(2003.12.2)
【手続補正１】
【補正対象書類名】明細書
【補正対象項目名】発明の名称
【補正方法】変更
【補正の内容】
【発明の名称】色補正装置および色補正制御装置、ならびに色補正方法および色補正制御方法
【手続補正２】
【補正対象書類名】明細書
【補正対象項目名】特許請求の範囲
【補正方法】変更
【補正の内容】
【特許請求の範囲】
【請求項１】
被写体を撮像して被写体の色の情報を含む信号を生成する撮像手段を有する撮像装置に用いられ、
所定の色についての基準となる基準色情報を発生する基準色情報発生手段と、
前記撮像手段によって撮像して得られる信号に基づく色を基準となる色に合わせるために、前記基準色情報発生手段によって発生される基準色情報と前記撮像手段によって所定の色を撮像して得られる信号とに基づいて決定される補正内容に従って、前記撮像手段によって撮像して得られる信号を補正する補正手段と
を備えたことを特徴とする色補正装置。
【請求項２】
前記基準色情報発生手段は、所定の複数の色についての基準となる基準色情報を発生することを特徴とする請求項１記載の色補正装置。
【請求項３】
前記基準色情報発生手段によって発生される所定の複数の色についての基準となる基準色情報と前記撮像手段によって所定の複数の色を同時に撮像して得られる信号とに基づいて、前記補正内容を決定するために用いられる補正内容決定用情報を生成する補正内容決定用情報生成手段を備えたことを特徴とする請求項２記載の色補正装置。
【請求項４】
前記補正内容を決定するために用いられる情報として、前記基準色情報発生手段によって発生される基準色情報としての基準色信号と前記撮像手段によって所定の色を撮像して得られる信号との差に対応する情報を生成する差情報生成手段を備えたことを特徴とする請求項１記載の色補正装置。
【請求項５】
前記撮像装置は、前記撮像手段を含む撮像装置本体と、この撮像装置本体とは別体にされ、前記撮像装置本体を制御するための制御装置とを有し、前記基準色情報発生手段および前記補正手段は、前記制御装置内に設けられていることを特徴とする請求項１記載の色補正装置。
【請求項６】
前記基準色情報発生手段によって発生される基準色情報と前記撮像手段によって所定の色を撮像して得られる信号とに基づいて、前記補正手段における補正内容を決定する補正内容決定手段を備えたことを特徴とする請求項１記載の色補正装置。
【請求項７】
被写体を撮像して被写体の色の情報を含む信号を生成する撮像手段と、所定の色についての基準となる基準色情報を発生する基準色情報発生手段と、前記撮像手段によって撮像して得られる信号に基づく色を基準となる色に合わせるために、前記基準色情報発生手段によって発生される基準色情報と前記撮像手段によって所定の色を撮像して得られる信号とに基づいて決定される補正内容に従って、前記撮像手段によって撮像して得られる信号を補正する補正手段とを備えた撮像装置における前記補正手段を制御する色補正制御装置であって、
前記基準色情報発生手段によって発生される基準色情報と前記撮像手段によって所定の色を撮像して得られる信号とに基づいて、前記補正手段における補正内容を決定して、前記補正手段を制御する補正内容決定手段を備えたことを特徴とする色補正制御装置。
【請求項８】
所定の色についての基準となる情報である基準色情報を発生し、
被写体を撮像して被写体の色の情報を含む信号を生成する撮像手段によって撮像して得られる信号に基づく色を基準となる色に合わせるために、前記基準色情報と前記撮像手段によって所定の色を撮像して得られる信号とに基づいて決定される補正内容に従って、前記撮像手段によって撮像して得られる信号を補正することを特徴とする色補正方法。
【請求項９】
前記基準色情報を発生する工程において、所定の複数の色についての基準となる基準色情報を発生することを特徴とする請求項８記載の色補正方法。
【請求項１０】
所定の複数の色についての基準となる前記基準色情報と前記撮像手段によって所定の複数の色を同時に撮像して得られる信号とに基づいて、前記補正内容を決定するために用いられる補正内容決定用情報を生成することを特徴とする請求項９記載の色補正方法。
【請求項１１】
前記補正内容を決定するために用いられる情報として、前記基準色情報を表す基準色信号と前記撮像手段によって所定の色を撮像して得られる信号との差に対応する情報を生成することを特徴とする請求項８記載の色補正方法。
【請求項１２】
被写体を撮像して被写体の色の情報を含む信号を生成する撮像手段と、所定の色についての基準となる基準色情報を発生する基準色情報発生手段と、前記撮像手段によって撮像して得られる信号に基づく色を基準となる色に合わせるために、前記撮像手段によって撮像して得られる信号を補正する補正手段とを備えた撮像装置における前記補正手段を制御する方法であって、
前記基準色情報発生手段によって発生される基準色情報と前記撮像手段によって所定の色を撮像して得られる信号とに基づいて、前記補正手段における補正内容を決定し、この補正内容に従って前記補正手段を制御することを特徴とする色補正制御方法。
【手続補正３】
【補正対象書類名】明細書
【補正対象項目名】０００６
【補正方法】変更
【補正の内容】
【０００６】
【課題を解決するための手段】
本発明の色補正装置は、被写体を撮像して被写体の色の情報を含む信号を生成する撮像手段を有する撮像装置に用いられ、所定の色についての基準となる基準色情報を発生する基準色情報発生手段と、撮像手段によって撮像して得られる信号に基づく色を基準となる色に合わせるために、基準色情報発生手段によって発生される基準色情報と撮像手段によって所定の色を撮像して得られる信号とに基づいて決定される補正内容に従って、撮像手段によって撮像して得られる信号を補正する補正手段とを備えたものである。
本発明の色補正方法は、所定の色についての基準となる情報である基準色情報を発生し、被写体を撮像して被写体の色の情報を含む信号を生成する撮像手段によって撮像して得られる信号に基づく色を基準となる色に合わせるために、基準色情報と撮像手段によって所定の色を撮像して得られる信号とに基づいて決定される補正内容に従って、撮像手段によって撮像して得られる信号を補正するようにしたものである。
【手続補正４】
【補正対象書類名】明細書
【補正対象項目名】０００７
【補正方法】変更
【補正の内容】
【０００７】
本発明の色補正制御装置は、被写体を撮像して被写体の色の情報を含む信号を生成する撮像手段と、所定の色についての基準となる基準色情報を発生する基準色情報発生手段と、撮像手段によって撮像して得られる信号に基づく色を基準となる色に合わせるために、基準色情報発生手段によって発生される基準色情報と撮像手段によって所定の色を撮像して得られる信号とに基づいて決定される補正内容に従って、撮像手段によって撮像して得られる信号を補正する補正手段とを備えた撮像装置における補正手段を制御する色補正制御装置であって、基準色情報発生手段によって発生される情報と撮像手段によって所定の色を撮像して得られる信号とに基づいて、補正手段における補正内容を決定して、補正手段を制御する補正内容決定手段を備えたものである。
本発明の色補正制御方法は、被写体を撮像して被写体の色の情報を含む信号を生成する撮像手段と、所定の色についての基準となる基準色情報を発生する基準色情報発生手段と、撮像手段によって撮像して得られる信号に基づく色を基準となる色に合わせるために、撮像手段によって撮像して得られる信号を補正する補正手段とを備えた撮像装置における補正手段を制御する方法であって、基準色情報発生手段によって発生される基準色情報と撮像手段によって所定の色を撮像して得られる信号とに基づいて、補正手段における補正内容を決定し、この補正内容に従って補正手段を制御するようにしたものである。
【手続補正５】
【補正対象書類名】明細書
【補正対象項目名】０００８
【補正方法】変更
【補正の内容】
【０００８】
本発明の色補正装置では、基準色情報発生手段によって、所定の色についての基準となる情報である基準色情報が発生され、補正手段によって、この基準色情報と撮像手段によって所定の色を撮像して得られる信号とに基づいて決定される補正内容に従って、撮像手段によって撮像して得られる信号が補正され、これにより、撮像手段によって撮像して得られる信号に基づく色が基準となる色に合わせられる。
本発明の色補正方法では、所定の色についての基準となる情報である基準色情報が発生され、この基準色情報と撮像手段によって所定の色を撮像して得られる信号とに基づいて決定される補正内容に従って、撮像手段によって撮像して得られる信号が補正される。これにより、撮像手段によって撮像して得られる信号に基づく色が、基準となる色に合わせ込まれる。
【手続補正６】
【補正対象書類名】明細書
【補正対象項目名】０００９
【補正方法】変更
【補正の内容】
【０００９】
本発明の色補正制御装置では、補正内容決定手段によって、基準色情報発生手段によって発生される情報と撮像手段によって所定の色を撮像して得られる信号とに基づいて、補正手段における補正内容が決定され、補正手段が制御される。
本発明の色補正制御方法では、基準色情報発生手段によって発生される基準色情報と撮像手段によって所定の色を撮像して得られる信号とに基づいて、補正手段における補正内容が決定され、この補正内容に従って補正手段が制御される。
【手続補正７】
【補正対象書類名】明細書
【補正対象項目名】０１０３
【補正方法】変更
【補正の内容】
【０１０３】
【発明の効果】
以上説明したように本発明の色補正装置または色補正方法によれば、所定の色についての基準となる基準色情報を発生し、この基準色情報と撮像手段によって所定の色を撮像して得られる信号とに基づいて決定される補正内容に従って、撮像手段によって撮像して得られる信号を補正して、撮像手段によって撮像して得られる信号に基づく色を基準となる色に合わせるようにしたので、基準となる撮像装置を必要とせずに、各撮像装置毎の操作によって、容易に、複数の撮像装置間の色合わせを行うことが可能となるという効果を奏する。


【手続補正８】
【補正対象書類名】明細書
【補正対象項目名】０１０４
【補正方法】変更
【補正の内容】
【０１０４】
特に、請求項３記載の色補正装置または請求項１０記載の色補正方法によれば、発生される所定の複数の色についての基準となる基準色情報と撮像手段によって所定の複数の色を同時に撮像して得られる信号とに基づいて、補正内容を決定するために用いられる補正内容決定用情報を生成するようにしたので、更に、複数の色について、容易に色合わせを行うことが可能となるという効果を奏する。


【手続補正９】
【補正対象書類名】明細書
【補正対象項目名】０１０５
【補正方法】変更
【補正の内容】
【０１０５】
また、請求項４記載の色補正装置または請求項１１記載の色補正方法によれば、補正内容を決定するために用いられる情報として、基準色情報を表す基準色信号と撮像手段によって所定の色を撮像して得られる信号との差に対応する情報を生成するようにしたので、更に、回路規模を小さくすることが可能となるという効果を奏する。


【手続補正１０】
【補正対象書類名】明細書
【補正対象項目名】０１０６
【補正方法】変更
【補正の内容】
【０１０６】
請求項７記載の色補正制御装置または請求項１２記載の色補正制御方法によれば、撮像装置側に設けられた基準色情報発生手段によって発生される情報と撮像手段によって所定の色を撮像して得られる信号とに基づいて、撮像装置側の補正手段における補正内容を決定し、補正手段を制御するようにしたので、基準となる撮像装置を必要とせずに、各撮像装置毎の操作によって、容易に、複数の撮像装置間の色合わせを行うことが可能となるという効果を奏する。